(57)【要約】【課題】  トップケースの取付作業を低コストで迅速容易に行うこと。【解決手段】  ケース本体１の上端縁から上方に延びる立上壁１Ａが設けられ、該立上壁１Ａの後壁部１ｃの下端に貫設した水平孔１８と、該水平孔１８に対向してトップケース３の後板部３ｄの下端から前方ａに延びる水平片１９とを有する後部ストッパ機構１４が設けられ、トップケース３の天板部３ｅの下面に一体突設されて該トップケース３の後板部３ｄに立上壁１Ａの厚さｄとほぼ同一幅の間隔Ｄをおいて対向する前方ａに向かって先すぼまり状の側面視略三角形ロック片２０を有するロック機構１５が設けられており、トップケース３をケース本体１に被せた後、該トップケース３を前方ａにスライドさせることにより、水平片１９を水平孔１８に嵌入させ、ロック片２０を立上壁１Ａの上縁を乗り越えて該立上壁１Ａの内面に係合させるようにした。【選択図】        図２
2005259958.tif 000002
【特許請求の範囲】
【請求項１】
前面及び上面が開放されたケース本体と、該ケース本体の前面開口部
に嵌合するフロントパネルと、そのケース本体の上面開口部に嵌合するトップケースとを
有し、該トップケースの前端縁に前方へ延びる突起部が一体突設されると共に、そのトッ
プケースの左右両側板部及び後板部の内面にフック部が一体突設され、該各フック部に対
向して前記ケース本体の上端縁から上方に延びる立上壁に係合孔が形成されており、前記
突起部をフロントパネル内に嵌入させると共に、トップケースを押し下げてケース本体に
被せることにより各フック部を各係合孔に係合させ、該トップケースをビスによりケース
本体に止着するようにした電気機器用筐体において、前記ビスを省略し、前記フック部及
び係合孔からなる係合機構に代えて側部ストッパ機構及び後部ストッパ機構とロック機構
とが設けられ、前記側部ストッパ機構が、前記立上壁の左右両側壁部の上縁から下向きに
延びる垂直溝部及び該垂直溝部の下端から前方に延びる水平溝部からなる左右一対のＬ字
溝と、該各Ｌ字溝に対向してトップケースの天板部から下方に延びる垂直板部及び該垂直
板部の下端から前方に延びる水平板部からなる弾性変位可能な左右一対のＬ字片とを有し
、該各Ｌ字片の水平板部が前方に向かって斜め上方に所定角度傾斜され、前記後部ストッ
パ機構が、前記立上壁の後壁部の下端に貫設した水平孔と、該水平孔に対向してトップケ
ースの後板部の下端から前方に延びる弾性変位可能な水平片とを有し、該水平片が前方に
向かって斜め上方に所定角度傾斜され、前記ロック機構が、前記トップケースの天板部の
下面に一体突設されて該トップケースの後板部に立上壁の厚さとほぼ同一幅の間隔をおい
て対向する前方に向かって先すぼまり状の側面視略三角形ロック片を有し、該ロック片に
対向して立上壁の後壁部の外面に上方に向かって前方に傾斜する傾斜ガイド面が形成され
ており、トップケースをケース本体に被せて各Ｌ字片を各Ｌ字溝の垂直溝部内に挿入した
後、該トップケースを前方にスライドさせることにより、各Ｌ字片の水平板部を弾性変位
させて各Ｌ字溝の水平溝部内に嵌入させると共に、水平片を弾性変位させて水平孔に嵌入
させ、ロック片を傾斜ガイド面から立上壁の上縁を乗り越えて該立上壁の内面に係合させ
るようにしたことを特徴とする電気機器用筐体。
【請求項２】
前面及び上面が開放されたケース本体と、該ケース本体の前面開口部
に嵌合するフロントパネルと、そのケース本体の上面開口部に嵌合するトップケースとを
有し、該トップケースの前端縁に前方へ延びる突起部が一体突設されると共に、そのトッ
プケースの左右両側板部及び後板部の内面にフック部が一体突設され、該各フック部に対
向して前記ケース本体の上端縁から上方に延びる立上壁に係合孔が形成されており、前記
突起部をフロントパネル内に嵌入させると共に、トップケースを押し下げてケース本体に
被せることにより各フック部を各係合孔に係合させ、該トップケースをビスによりケース
本体に止着するようにした電気機器用筐体において、前記ビスを省略し、前記フック部及
び係合孔からなる係合機構に代えて側部ストッパ機構及び後部ストッパ機構とロック機構
とが設けられ、前記側部ストッパ機構が、前記立上壁の左右両側壁部の上縁から下向きに
延びる垂直溝部及び該垂直溝部の下端から前方に延びる水平溝部からなる左右一対のＬ字
溝と、該各Ｌ字溝に対向してトップケースの天板部から下方に延びる垂直板部及び該垂直
板部の下端から前方に延びる水平板部からなる弾性変位可能な左右一対のＬ字片とを有し
、該各Ｌ字片の水平板部が前方に向かって斜め上方に所定角度傾斜され、前記各水平溝部
の上縁にロック溝が形成されると共に、その各ロック溝に対向して前記各水平板部の先端
にロック突起が一体突設され、前記後部ストッパ機構が、前記立上壁の後壁部の下端に貫
設した水平孔と、該水平孔に対向してトップケースの後板部の下端から前方に延びる弾性
変位可能な水平片とを有し、該水平片が前方に向かって斜め上方に所定角度傾斜され、前
記ロック機構が、前記トップケースの天板部の下面に一体突設されて該トップケースの後
板部に立上壁の厚さとほぼ同一幅の間隔をおいて対向する先すぼまり状の側面視略三角形
ロック片を有し、該ロック片に対向して立上壁の後壁部の外面に上方に向かって前方に傾
斜する傾斜ガイド面が形成されており、トップケースをケース本体に被せて各Ｌ字片を各
Ｌ字溝の垂直溝部内に挿入した後、トップケースを前方にスライドさせることにより、各
Ｌ字片の水平板部を弾性変位させて各Ｌ字溝の水平溝部内に嵌入させると共に、水平片を
弾性変位させて水平孔に嵌入させ、ロック突起をロック溝に嵌入させると共に、ロック片
を傾斜ガイド面から立上壁の上縁を乗り越えて該立上壁の内面に係合させるようにしたこ
とを特徴とする電気機器用筐体。
【請求項３】
前面及び上面が開放されたケース本体と、該ケース本体の前面開口部
に嵌合するフロントパネルと、そのケース本体の上面開口部に嵌合するトップケースとを
有し、該トップケースの前端縁から前方へ延びる突起部をフロンパネル内に嵌入させると
共に、そのトップケースをケース本体の上端縁から上方に延びる立上壁に被せるようにし
た電気機器用筐体において、前記立上壁の後壁部の下端に貫設した水平孔と、該水平孔に
対向してトップケースの後板部の下端から前方に延びる水平片とを有する後部ストッパ機
構が設けられ、前記トップケースの天板部の下面に一体突設されて該トップケースの後板
部に立上壁の厚さとほぼ同一幅の間隔をおいて対向する前方に向かって先すぼまり状の側
面視略三角形ロック片を有するロック機構が設けられており、トップケースをケース本体
に被せた後、該トップケースを前方にスライドさせることにより、水平片を水平孔に嵌入
させ、ロック片を立上壁の上縁を乗り越えて該立上壁の内面に係合させるようにしたこと
を特徴とする電気機器用筐体。
【請求項４】
前記ロック片に対向して立上壁の後壁部の外面に上方に向かって前方
に傾斜する傾斜ガイド面が形成されており、ロック片を傾斜ガイド面から立上壁の上縁を
乗り越えて該立上壁の内面に係合させるようにしたことを特徴とする請求項３に記載の電
気機器用筐体。
【請求項５】
前記立上壁の左右両側壁部の上縁から下向きに延びる垂直溝部及び該
垂直溝部の下端から前方に延びる水平溝部からなる左右一対のＬ字溝と、該各Ｌ字溝に対
向してトップケースの天板部から下方に延びる垂直板部及び該垂直板部の下端から前方に
延びる水平板部からなる左右一対のＬ字片とからなる側部ストッパ機構が設けられており
、各Ｌ字片を各Ｌ字溝の垂直溝部内に挿入した後、トップケースを前方にスライドさせる
ことにより、各Ｌ字片の水平板部を各Ｌ字溝の水平溝部内に嵌入させるようにしたことを
特徴とする請求項３または４に記載の電気機器用筐体。
【請求項６】
前記各Ｌ字片が弾性変位可能に形成されると共に、該各Ｌ字片の水平
板部が前方に向かって斜め上方に所定角度傾斜され、前記水平片が弾性変位可能に形成さ
れると共に、該水平片が前方に向かって斜め上方に所定角度傾斜されており、前記各Ｌ字
片の水平板部を弾性変位させて各Ｌ字溝の水平溝部内に嵌入させると共に、水平片を弾性
変位させて水平孔に嵌入させるようにしたことを特徴とする請求項５に記載の電気機器用
筐体。
【請求項７】
前記各水平溝部の上縁にロック溝が形成されると共に、その各ロック
溝に対向して各水平板部の先端にロック突起が一体突設されており、各Ｌ字片の水平板部
を弾性変位させて各Ｌ字溝の水平溝部内に嵌入させることにより、ロック突起をロック溝
に嵌入させるようにしたことを特徴とする請求項５または６に記載の電気機器用筐体。
【発明の詳細な説明】
【技術分野】
【０００１】
本発明は例えばＤＶＤなどのディスクプレーヤや磁気テープ装置（ＶＣＲ）などの電気
機器用筐体に関する。
【背景技術】
【０００２】
従来、ＤＶＤ用ディスクプレーヤの一例として図９〜図１１に示すものがある。これは
、前面及び上面が開放されたケース本体１と、該ケース本体１の前面開口部に嵌合するフ
ロントパネル２と、そのケース本体１の上面開口部に嵌合するトップケース３とを有し、
該トップケース３の前端縁に前方へ延びる突起部３ａが一体突設されると共に、そのトッ
プケース３の左右両側板部３ｂ，３ｃ及び後板部３ｄの内面にフック部４が一体突設され
、該各フック部４に対向して前記ケース本体１の上端縁から上方に延びる平面視略コ字状
の立上壁１Ａに係合孔５が形成され、トップケース３の天板部３ｅの後部を貫通してケー
ス本体１のねじ孔６にねじ込まれる複数のビス７が設けられている。なお、図９中、８は
フロントパネル２の前面に形成したディスク挿入口９に出退可能に配置したトレイ、１０
は電源釦、１１は各種操作釦である。
【０００３】
トップケース３の取付手順を説明すると、図１０に仮想線で示すように、突起部３ａを
フロントパネル２内に嵌入させると共に、トップケース３を押し下げてケース本体１に被
せることにより各フック部４を各係合孔５に係合させ（図１１参照）、該トップケース３
をビス７によりケース本体１に止着する。
【特許文献１】実開昭６３−１２８７６５号公報
【発明の開示】
【発明が解決しようとする課題】
【０００４】
上記従来の構成では、複数のビス７によりトップケース３をケース本体１に止着するよ
うになっており、該各ビス７分だけ部品点数が増加してコストアップになると共に、その
止着作業に手間と時間がかかって面倒である。
【０００５】
本発明は、上記従来の欠点に鑑み、トップケースの取付作業を低コストで迅速容易に行
うことができるようにした電気機器用筐体を提供することを目的としている。
【課題を解決するための手段】
【０００６】
上記目的を達成するため、請求項１に記載の発明は、前面及び上面が開放されたケース
本体と、該ケース本体の前面開口部に嵌合するフロントパネルと、そのケース本体の上面
開口部に嵌合するトップケースとを有し、該トップケースの前端縁に前方へ延びる突起部
が一体突設されると共に、そのトップケースの左右両側板部及び後板部の内面にフック部
が一体突設され、該各フック部に対向して前記ケース本体の上端縁から上方に延びる立上
壁に係合孔が形成されており、前記突起部をフロントパネル内に嵌入させると共に、トッ
プケースを押し下げてケース本体に被せることにより各フック部を各係合孔に係合させ、
該トップケースをビスによりケース本体に止着するようにした電気機器用筐体において、
前記ビスを省略し、前記フック部及び係合孔からなる係合機構に代えて側部ストッパ機構
及び後部ストッパ機構とロック機構とが設けられ、前記側部ストッパ機構が、前記立上壁
の左右両側壁部の上縁から下向きに延びる垂直溝部及び該垂直溝部の下端から前方に延び
る水平溝部からなる左右一対のＬ字溝と、該各Ｌ字溝に対向してトップケースの天板部か
ら下方に延びる垂直板部及び該垂直板部の下端から前方に延びる水平板部からなる弾性変
位可能な左右一対のＬ字片とを有し、該各Ｌ字片の水平板部が前方に向かって斜め上方に
所定角度傾斜され、前記後部ストッパ機構が、前記立上壁の後壁部の下端に貫設した水平
孔と、該水平孔に対向してトップケースの後板部の下端から前方に延びる弾性変位可能な
水平片とを有し、該水平片が前方に向かって斜め上方に所定角度傾斜され、前記ロック機
構が、前記トップケースの天板部の下面に一体突設されて該トップケースの後板部に立上
壁の厚さとほぼ同一幅の間隔をおいて対向する前方に向かって先すぼまり状の側面視略三
角形ロック片を有し、該ロック片に対向して立上壁の後壁部の外面に上方に向かって前方
に傾斜する傾斜ガイド面が形成されており、トップケースをケース本体に被せて各Ｌ字片
を各Ｌ字溝の垂直溝部内に挿入した後、該トップケースを前方にスライドさせることによ
り、各Ｌ字片の水平板部を弾性変位させて各Ｌ字溝の水平溝部内に嵌入させると共に、水
平片を弾性変位させて水平孔に嵌入させ、ロック片を傾斜ガイド面から立上壁の上縁を乗
り越えて該立上壁の内面に係合させるようにしたことを特徴としている。
【０００７】
請求項２に記載の発明は、前面及び上面が開放されたケース本体と、該ケース本体の前
面開口部に嵌合するフロントパネルと、そのケース本体の上面開口部に嵌合するトップケ
ースとを有し、該トップケースの前端縁に前方へ延びる突起部が一体突設されると共に、
そのトップケースの左右両側板部及び後板部の内面にフック部が一体突設され、該各フッ
ク部に対向して前記ケース本体の上端縁から上方に延びる立上壁に係合孔が形成されてお
り、前記突起部をフロントパネル内に嵌入させると共に、トップケースを押し下げてケー
ス本体に被せることにより各フック部を各係合孔に係合させ、該トップケースをビスによ
りケース本体に止着するようにした電気機器用筐体において、前記ビスを省略し、前記フ
ック部及び係合孔からなる係合機構に代えて側部ストッパ機構及び後部ストッパ機構とロ
ック機構とが設けられ、前記側部ストッパ機構が、前記立上壁の左右両側壁部の上縁から
下向きに延びる垂直溝部及び該垂直溝部の下端から前方に延びる水平溝部からなる左右一
対のＬ字溝と、該各Ｌ字溝に対向してトップケースの天板部から下方に延びる垂直板部及
び該垂直板部の下端から前方に延びる水平板部からなる弾性変位可能な左右一対のＬ字片
とを有し、該各Ｌ字片の水平板部が前方に向かって斜め上方に所定角度傾斜され、前記各
水平溝部の上縁にロック溝が形成されると共に、その各ロック溝に対向して前記各水平板
部の先端にロック突起が一体突設され、前記後部ストッパ機構が、前記立上壁の後壁部の
下端に貫設した水平孔と、該水平孔に対向してトップケースの後板部の下端から前方に延
びる弾性変位可能な水平片とを有し、該水平片が前方に向かって斜め上方に所定角度傾斜
され、前記ロック機構が、前記トップケースの天板部の下面に一体突設されて該トップケ
ースの後板部に立上壁の厚さとほぼ同一幅の間隔をおいて対向する先すぼまり状の側面視
略三角形ロック片を有し、該ロック片に対向して立上壁の後壁部の外面に上方に向かって
前方に傾斜する傾斜ガイド面が形成されており、トップケースをケース本体に被せて各Ｌ
字片を各Ｌ字溝の垂直溝部内に挿入した後、トップケースを前方にスライドさせることに
より、各Ｌ字片の水平板部を弾性変位させて各Ｌ字溝の水平溝部内に嵌入させると共に、
水平片を弾性変位させて水平孔に嵌入させ、ロック突起をロック溝に嵌入させると共に、
ロック片を傾斜ガイド面から立上壁の上縁を乗り越えて該立上壁の内面に係合させるよう
にしたことを特徴としている。
【０００８】
請求項３に記載の発明は、前面及び上面が開放されたケース本体と、該ケース本体の前
面開口部に嵌合するフロントパネルと、そのケース本体の上面開口部に嵌合するトップケ
ースとを有し、該トップケースの前端縁から前方へ延びる突起部をフロンパネル内に嵌入
させると共に、そのトップケースをケース本体の上端縁から上方に延びる立上壁に被せる
ようにした電気機器用筐体において、前記立上壁の後壁部の下端に貫設した水平孔と、該
水平孔に対向してトップケースの後板部の下端から前方に延びる水平片とを有する後部ス
トッパ機構が設けられ、前記トップケースの天板部の下面に一体突設されて該トップケー
スの後板部に立上壁の厚さとほぼ同一幅の間隔をおいて対向する前方に向かって先すぼま
り状の側面視略三角形ロック片を有するロック機構が設けられており、トップケースをケ
ース本体に被せた後、該トップケースを前方にスライドさせることにより、水平片を水平
孔に嵌入させ、ロック片を立上壁の上縁を乗り越えて該立上壁の内面に係合させるように
したことを特徴としている。
【０００９】
請求項４に記載の発明は、請求項３に記載の発明において、前記ロック片に対向して立
上壁の後壁部の外面に上方に向かって前方に傾斜する傾斜ガイド面が形成されており、ロ
ック片を傾斜ガイド面から立上壁の上縁を乗り越えて該立上壁の内面に係合させるように
したことを特徴としている。
【００１０】
請求項５に記載の発明は、請求項３または４に記載の発明において、前記立上壁の左右
両側壁部の上縁から下向きに延びる垂直溝部及び該垂直溝部の下端から前方に延びる水平
溝部からなる左右一対のＬ字溝と、該各Ｌ字溝に対向してトップケースの天板部から下方
に延びる垂直板部及び該垂直板部の下端から前方に延びる水平板部からなる左右一対のＬ
字片とからなる側部ストッパ機構が設けられており、各Ｌ字片を各Ｌ字溝の垂直溝部内に
挿入した後、トップケースを前方にスライドさせることにより、各Ｌ字片の水平板部を各
Ｌ字溝の水平溝部内に嵌入させるようにしたことを特徴としている。
【００１１】
請求項６に記載の発明は、請求項５に記載の発明において、前記各Ｌ字片が弾性変位可
能に形成されると共に、該各Ｌ字片の水平板部が前方に向かって斜め上方に所定角度傾斜
され、前記水平片が弾性変位可能に形成されると共に、該水平片が前方に向かって斜め上
方に所定角度傾斜されており、前記各Ｌ字片の水平板部を弾性変位させて各Ｌ字溝の水平
溝部内に嵌入させると共に、水平片を弾性変位させて水平孔に嵌入させるようにしたこと
を特徴としている。
【００１２】
請求項７に記載の発明は、請求項５または６に記載の発明において、前記各水平溝部の
上縁にロック溝が形成されると共に、その各ロック溝に対向して各水平板部の先端にロッ
ク突起が一体突設されており、各Ｌ字片の水平板部を弾性変位させて各Ｌ字溝の水平溝部
内に嵌入させることにより、ロック突起をロック溝に嵌入させるようにしたことを特徴と
している。
【発明の効果】
【００１３】
請求項１に記載の発明は実施の一形態（図１〜図７参照）に対応するものであって、こ
れによれば、トップケースをケース本体に被せて前方にスライドさせるだけで、後部スト
ッパ機構の水平片を立上壁の水平孔に嵌入させると共に、側部ストッパ機構の各Ｌ字片の
水平板部を各Ｌ字溝の水平溝部に嵌入させることにより、トップケースの後部及び両側部
を浮き上がらないようにケース本体に確実に係止することができ、それと同時に、ロック
機構のロック片を立上壁の上縁を乗り越えて該立上壁の内面に係合させることにより、ト
ップケースを後方にスライドしないように確実にロックすることができる。
【００１４】
また、前記水平片、Ｌ字片及びロック片がトップケースに一体形成されており、従来の
ビスを用いる場合に比べて、部品点数が増加せず、コストダウンを図ることができる。
【００１５】
更に、立上壁の傾斜ガイド面に沿ってロック片が滑動されるから、該ロック片を立上壁
の上縁を容易に乗り越えて該立上壁の内面に対向させることができる。
【００１６】
しかも、各Ｌ字片の斜め上方に傾斜させた水平板部を水平溝部の上縁に弾性的に押し付
けると共に、斜め上方に傾斜させた水平片を水平孔の上縁に弾性的に押し付けることによ
り発生する押下力でトップケースをケース本体に押し付けるから、該トップケースを不測
に動かないようにケース本体に確実に取り付けることができる。
【００１７】
請求項２に記載の発明は実施の他の形態（図８参照）に対応するものであって、これに
よれば、請求項１に記載の発明とほぼ同様の効果を得ることができ、特に、トップケース
をケース本体に被せて前方にスライドさせるだけで、各水平板部のロック突起を水平溝部
のロック溝に嵌入させて、トップケースを後方にスライドしないようにケース本体に一層
確実にロックすることができる。
【００１８】
請求項３に記載の発明によれば、トップケースをケース本体に被せて前方にスライドさ
せるだけで、後部ストッパ機構の水平片を立上壁の水平孔に嵌入させて、トップケースの
後部を浮き上がらないようにケース本体に確実に係止することができ、それと同時に、ロ
ック機構のロック片を立上壁の上縁を乗り越えて該立上壁の内面に係合させて、トップケ
ースを後方にスライドしないように確実にロックすることができる。
【００１９】
請求項４に記載の発明によれば、立上壁の傾斜ガイド面に沿ってロック片が滑動される
から、該ロック片を立上壁の上縁を容易に乗り越えて該立上壁の内面に対向させることが
できる。
【００２０】
請求項５に記載の発明によれば、トップケースをケース本体に被せて前方にスライドさ
せるだけで、側部ストッパ機構の各Ｌ字片の水平板部を各Ｌ字溝の水平溝部に嵌入させて
、トップケースの両側部を浮き上がらないようにケース本体に確実に係止することができ
る。また、前記水平片、Ｌ字片及びロック片がトップケースに一体形成されており、従来
のビスを用いる場合に比べて、部品点数が増加せず、コストダウンを図ることができる。
【００２１】
請求項６に記載の発明によれば、各Ｌ字片の斜め上方に傾斜させた水平板部を水平溝部
の上縁に弾性的に押し付けると共に、斜め上方に傾斜させた水平片を水平孔の上縁に弾性
的に押し付けることにより発生する押下力でトップケースをケース本体に押し付けるから
、該トップケースを不測に動かないようにケース本体に取り付けることができる。
【００２２】
請求項７に記載の発明によれば、トップケースをケース本体に被せて前方にスライドさ
せるだけで、各水平板部のロック突起を水平溝部のロック溝に嵌入させて、トップケース
を後方にスライドしないように一層確実にロックすることができる。
【発明を実施するための最良の形態】
【００２３】
図１〜図４は本発明の実施の一形態であるＤＶＤ用ディスクプレーヤの電気機器用筐体
を示すものであって、これには側部ストッパ機構１３及び後部ストッパ機構１４とロック
機構１５とが設けられている。上記以外の構成は、図９〜図１１に示す構成とほぼ同じで
あるから、同一部分に同一符号を付してその説明を省略する。
【００２４】
前記側部ストッパ機構１３は、図５（ａ）及び（ｂ）に示すように、立上壁１Ａの左右
両側壁部１ａ，１ｂの上縁から下向きに延びる垂直溝部１６ａ及び該垂直溝部１６ａの下
端から前方に延びる水平溝部１６ｂからなる左右一対のＬ字溝１６と、該各Ｌ字溝１６に
対向してトップケース３の天板部３ｅから下方に延びる垂直板部１７ａ及び該垂直板部１
７ａの下端から前方ａに延びる水平板部１７ｂからなる弾性変位可能な左右一対のＬ字片
１７とを有しており、該Ｌ字片１７の幅ｔが垂直溝部１６ａの幅Ｔよりも若干小さく設定
されると共に、水平板部１７ｂの突出長さｈが水平溝部１６ｂの奥行き幅Ｈと同一または
若干小さく設定されており、図５（ｂ）に仮想線で示すように、各Ｌ字片１７を各Ｌ字溝
１６の垂直溝部１６ａ内に挿入した後、トップケース３を前方ａにスライドさせることに
より、各Ｌ字片１７の水平板部１７ｂを各Ｌ字溝１６の水平溝部１６ｂ内に嵌入させ、ト
ップケース３の両側部を浮き上がらないようにケース本体１に係止する。
【００２５】
前記後部ストッパ機構１４は、図６（ａ）及び（ｂ）に示すように、立上壁１Ａの後壁
部１ｃの下端に貫設した１つまたは複数（この実施の形態では２つ）の水平孔１８と、該
各水平孔１８に対向してトップケース３の後板部３ｄの下端から前方ａに延びる１つまた
は複数（この実施の形態では２つ）の水平片１９とを有しており、図６（ｂ）に仮想線で
示すように、トップケース３をケース本体１に被せた状態で該トップケース３を前方ａに
スライドさせることにより、各水平片１９を各水平孔１８に嵌入させ、トップケース３の
後部を浮き上がらないようにケース本体１に係止する。
【００２６】
前記ロック機構１５は、図７（ａ）及び（ｂ）に示すように、トップケース３の天板部
３ｅの下面に一体突設されて該トップケース３の後板部３ｄに立上壁１Ａの厚さｄとほぼ
同一幅の間隔Ｄをおいて対向する１つまたは複数（この実施の形態では２つ）のロック片
２０を有し、該各ロック片２０は前方ａに向かって先すぼまり状の側面視略三角形に形成
され、該各ロック片２０に対向して立上壁１Ａの後壁部１ｃの外面に上方に向かって前方
に傾斜する傾斜ガイド面２１が形成されており、図７（ｂ）に仮想線で示すように、トッ
プケース３をケース本体１に被せた状態で該トップケース３を前方ａにスライドさせるこ
とにより、各ロック片２０を傾斜ガイド面２１から立上壁１Ａの上縁を乗り越えて立上壁
１Ａの内面に係合させ、これによって、トップケース３を後方ｂにスライドしないように
ロックする。
【００２７】
トップケース３の取付手順を説明すると、図３に仮想線で示すように、トップケース３
をケース本体１の上方の少しだけ後方ｂに位置ずれさせた状態から下降させることにより
該ケース本体１に被せて、Ｌ字片１７をＬ字溝１６の垂直溝部１６ａ内に挿入した後、そ
のトップケース３を前方ａにスライドさせ、突起部３ａをフロントパネル２内に嵌入させ
、各Ｌ字片１７の水平板部１７ｂを水平溝部１６ｂ内に嵌入させ、水平片１９を立上壁１
Ａの水平孔１８に嵌入させ、ロック片２０を傾斜ガイド面２１に沿って滑らせて立上壁１
Ａの上縁を乗り越えて該立上壁１Ａの内面に係合させる。
【００２８】
上記構成によれば、トップケース３をケース本体１に被せて前方ａにスライドさせるだ
けで、各水平片１９を各水平孔１８に嵌入させると共に、各Ｌ字片１７の水平板部１７ｂ
を各Ｌ字溝１６の水平溝部１６ｂに嵌入させることにより、トップケース３の後部及び両
側部を浮き上がらないようにケース本体１に確実に係止することができ、それと同時に、
各ロック片２０を立上壁１Ａの上縁を乗り越えて該立上壁１Ａの内面に係合させることに
より、トップケース３を後方にスライドしないように確実にロックすることができる。
【００２９】
また、前記水平片１９、各Ｌ字片１７及び各ロック片２０がトップケース３に一体形成
されており、従来のビス７（図９参照）を用いる場合に比べて、部品点数が増加せず、コ
ストダウンを図ることができる。
【００３０】
更に、立上壁１Ａの傾斜ガイド面２１に沿ってロック片２０が滑動されるから、該ロッ
ク片２０を立上壁１Ａの上縁を容易に乗り越えて該立上壁１Ａの内面に対向させることが
できる。
【００３１】
前記各Ｌ字片１７の水平板部１７ｂ及び各水平片１９が前方ａに向かって斜め上方に所
定角度α（例えば５〜３０°）傾斜されているから〔図５（ｂ）及び図６（ｂ）参照〕、
各Ｌ字片１７の水平板部１７ｂを弾性変位させて水平溝部１６ｂの上縁に弾性的に押し付
けると共に、水平片１９を水平孔１８の上縁に弾性的に押し付け、これによって発生する
押下力Ｆでトップケース３をケース本体１に押し付けるようになっており、そのトップケ
ース３を不測に動かないようにケース本体１に確実に取り付けることができる。
【００３２】
図８（ａ）及び（ｂ）は本発明の実施の他の形態である電気機器用筐体の要部を示すも
のであって、各水平溝部１６ｂの上縁にロック溝２２が形成されると共に、その各ロック
溝２２に対向して各水平板部１７ｂの先端にロック突起２３が一体突設されており、各Ｌ
字片１７の水平板部１７ｂを弾性変位させて各Ｌ字溝１６の水平溝部１６ｂ内に嵌入させ
ることにより、ロック突起２３をロック溝２２に嵌入させる。上記以外の構成は図１〜図
７に示す構成とほぼ同じであるから、同一部分に同一符号を付してその説明を省略する。
【００３３】
上記構成によれば、実施の一形態（図１〜図７）とほぼ同様の効果を得ることができ、
特に、トップケース３をケース本体１に被せて前方ａにスライドさせるだけで、各水平板
部１７ｂのロック突起２３を水平溝部１６ｂのロック溝２２に嵌入させて、トップケース
３を後方ｂにスライドしないように一層確実にロックすることができる。
【産業上の利用可能性】
【００３４】
上記実施の形態では、ＤＶＤ用ディスクプレーヤの電気機器用筐体を例にあげて説明し
たが、これに限定されるわけではなく、例えば磁気テープ装置（ＶＣＲ）などの各種電気
機器用筐体にも適用することができる。
【図面の簡単な説明】
【００３５】
【図１】本発明の実施の一形態である電気機器用筐体を示す斜視図である。
【図２】同トップケースを開放した状態の要部の斜視図である。
【図３】図１のＡ−Ａ矢視図である。
【図４】図１のＢ−Ｂ矢視図である。
【図５】（ａ）は側部ストッパ機構の分解斜視図、（ｂ）は同縦断面図である。
【図６】（ａ）は後部ストッパ機構の分解斜視図、（ｂ）は同縦断面図である。
【図７】（ａ）はロック機構の分解斜視図、（ｂ）は同縦断面図である。
【図８】（ａ）は本発明の実施の他の形態である電気機器用筐体を示す斜視図、（ｂ）は同縦断面図である。
【図９】従来例を示す斜視図である。
【図１０】図９のＣ−Ｃ矢視図である。
【図１１】図９のＤ−Ｄ矢視図である。
【符号の説明】
【００３６】
１          ケース本体
１Ａ        立上壁
１ａ，１ｂ  立上壁の側壁部
１ｃ        立上壁の後壁部
２          フロントカバー
３          トップケース
３ａ        トップケースの突起部
３ｂ，３ｃ  トップケースの側板部
３ｄ        トップケースの後板部
３ｅ        トップケースの天板部
４          フック部
５          係合孔
７          ビス
１３        側部ストッパ機構
１４        後部ストッパ機構
１５        ロック機構
１６        Ｌ字溝
１６ａ      Ｌ字溝の垂直溝部
１６ｂ      Ｌ字溝の水平溝部
１７        Ｌ字片
１７ａ      Ｌ字片の垂直板部
１７ｂ      Ｌ字片の水平板部
１８        水平孔
１９        水平片
２０        ロック片
２１        傾斜ガイド面
２２        ロック溝
２３        ロック突起
ａ          前方
ｂ          後方
ｄ          立上壁の厚さ
【図１】
2005259958.tif 000003
【図２】
2005259958.tif 000004
【図３】
2005259958.tif 000005
【図４】
2005259958.tif 000006
【図５】
2005259958.tif 000007
【図６】
2005259958.tif 000008
【図７】
2005259958.tif 000009
【図８】
2005259958.tif 000010
【図９】
2005259958.tif 000011
【図１０】
2005259958.tif 000012
【図１１】
2005259958.tif 000013